(57)【要約】【課題】照明装置に対するスイッチ部の取り付け位置を変更可能にしつつ、取り付けの作業を効率よく行える構造を提供すること。【解決手段】電気電子機器収納用箱に取り付けられる照明装置１であって、電気機器収納用箱の前面に位置する扉若しくは側板の開閉操作により、照明のオンオフの切り替え可能なスイッチ部１３と、スイッチ部を固定する取付金具１４と、取付金具を取り付ける取付部を照明の端部側に備える固定金具１２と、を備え、取付部と取付金具の取り付け位置を前後上下に調整可能とする調整部１６を、少なくとも取付部と取付金具の一方に備えた構成とする。【選択図】図１
2019036381.tif 000002
【特許請求の範囲】
【請求項１】
電気電子機器収納用箱に取り付けられる照明装置であって、
電気機器収納用箱の前面に位置する扉若しくは側板の開閉操作により、照明のオンオフの切り替え可能なスイッチ部と、
スイッチ部を固定する取付金具と、
取付金具を取り付ける取付部を照明の端部側に備える固定金具と、を備え、
取付部と取付金具の取り付け位置を前後上下に調整可能とする調整部を、少なくとも取付部と取付金具の一方に備えた照明装置。
【請求項２】
取付部は、照明装置の電気電子機器収納用箱への固定面に対して直交する方向に延びるように折り曲げ形成された請求項１に記載の照明装置。
【請求項３】
取付部と取付金具の双方に、取付部と取付金具の取り付け位置を前後上下に調整可能とする調整部を備えた請求項１又は２に記載の照明装置。
【請求項４】
取付金具に取り付けられる付属装置がスイッチ部の後方に位置した請求項１から３のいずれかに記載の照明装置。
【請求項５】
付属装置は、照明に電源を引き込むために用いられる端子台である請求項４に記載の照明装置。
【発明の詳細な説明】
【技術分野】
【０００１】
本発明は、電気電子機器収納用箱に取り付けられる照明装置に関するものである。
【背景技術】
【０００２】
特許文献１に記載されているように、電気電子機器収納用箱に照明装置を設置することが知られている。このような照明装置は、扉や側板の開閉操作と連動するスイッチ部により、点灯と消灯の切り替えを行うことができる。ところで、電気電子機器収納用箱の開口部のフレームの構造や水切部の形状が変われば、照明装置の取付位置から扉や側板までの距離が変わる。このため、従来は、図１２及び図１３に示すように、取付金具１１４を取り付けるために用いられる取付孔１１６ａが照明装置１００の固定金具１１２に設けられていたが、照明装置１００の前面側に上下方向に並ぶように複数設けられていた。この取付孔１１６ａを選択してねじ３０１で固定することで、照明装置１００に対する取付金具１１４の位置を選択していた。また、この取付金具１１４には、スイッチ部１１３を取り付けるために用いられる取付孔１１６ｂを、先ほどの取付孔１１６ａを設けた面とは別の面に、前後方向に並ぶように複数設けていた。この取付孔１１６ｂを選択して先ほどのねじ３０１とは異なるねじ３０２を用いてねじ固定することで、取付金具１１４に対するスイッチ部１１３の位置を選択していた。つまり、スイッチ部１１３の取付時には、取付金具１１４の位置を選択して固定する作業とは別に、取付金具１１４に対するスイッチ部１１３の位置の選択をして固定する作業がなされるものであった。
【先行技術文献】
【特許文献】
【０００３】
【特許文献１】特開平９−２１５１２４号公報
【０００４】
しかしながら、このような構造であると、スイッチ部の高さ位置や前後位置を変更するために多くの取付孔が必要となる。また、照明装置にスイッチ部を固定する作業の作業性に問題があった。
【発明の概要】
【発明が解決しようとする課題】
【０００５】
本件の発明者は、この点について鋭意検討することにより、解決を試みた。本発明の課題は、照明装置に対するスイッチ部の取り付け位置を変更可能にしつつ、取り付けの作業を効率よく行える構造を提供することである。
【課題を解決するための手段】
【０００６】
上記課題を解決するため、電気電子機器収納用箱に取り付けられる照明装置であって、電気機器収納用箱の前面に位置する扉若しくは側板の開閉操作により、照明のオンオフの切り替え可能なスイッチ部と、スイッチ部を固定する取付金具と、取付金具を取り付ける取付部を照明の端部側に備える固定金具と、を備え、照明取付部と取付金具の取り付け位置を前後上下に調整可能とする調整部を、少なくとも取付部と取付金具の一方に備えた照明装置とする。
【０００７】
また、取付部は、照明装置の電気電子機器収納用箱への固定面に対して直交する方向に延びるように折り曲げ形成された構成とすることが好ましい。
【０００８】
また、取付部と取付金具の双方に、取付部と取付金具の取り付け位置を前後上下に調整可能とする調整部を備えた構成とすることが好ましい。
【０００９】
また、取付金具に取り付けられる付属装置がスイッチ部の後方に位置した構成とすることが好ましい。
【００１０】
また、付属装置は、照明に電源を引き込むために用いられる端子台とすることが好ましい。
【発明の効果】
【００１１】
本発明では、照明装置に対するスイッチ部の取り付け位置を変更可能にしつつ、取り付けの作業を効率よく行える構造を提供することが可能となる。
【図面の簡単な説明】
【００１２】
【図１】実施形態における照明装置の斜視図である。但し、図２に示す状態と比べてスイッチ部が前方側かつ下方側に位置している。
【図２】実施形態における照明装置の斜視図である。但し、図１に示す状態と比べてスイッチ部が後方側かつ上方側に位置している。
【図３】実施形態における照明装置の正面図である。
【図４】実施形態における照明装置が電気電子機器収納用箱に取り付けられた状態を示す斜視図である。但し、照明装置は横フレームに固定されている。
【図５】図４における照明装置周りの部分拡大図である。
【図６】横フレームに取り付けられた照明装置におけるスイッチ部周りを内部側方から見た状態を表した図である。
【図７】実施形態における照明装置が電気電子機器収納用箱に取り付けられた状態を示す斜視図である。但し、照明装置は天井面に固定されている。
【図８】図７における照明装置周りの部分拡大図である。
【図９】天井面に取り付けられた照明装置におけるスイッチ部周りを内部側方から見た状態を表した図である。
【図１０】照明装置の分解斜視図である。
【図１１】他の実施形態における照明装置の分解斜視図である。
【図１２】従来技術における照明装置の分解斜視図である。
【図１３】従来技術におけるスイッチ部周りの分解斜視図である。
【発明を実施するための形態】
【００１３】
以下に発明を実施するための形態を示す。図１乃至図６に示されていることから理解されるように、本実施形態の照明装置１は、電気電子機器収納用箱４に取り付けられるものである。この照明装置１には、電気機器収納用箱の前面に位置する扉４２若しくは側板４３の開閉操作により、照明１１のオンオフの切り替え可能なスイッチ部１３と、スイッチ部１３を固定する取付金具１４と、取付金具１４を取り付ける取付部１２ａが照明１１の端部側に形成される固定金具１２と、を備えている。また、固定金具１２には、取付面を構成する固定部１２ｂと、固定部１２ｂの長手方向と直交する方向に面状に延びた取付部１２ａを備えている。更には、固定金具１２の取付部１２ａと取付金具１４の取り付け位置を前後上下に調整可能とする調整部１６を、少なくとも固定金具１２の取付部１２ａと取付金具１４の一方に備えている。このため、スイッチ部１３の取り付け位置の調整を１面ででき、照明装置１に対するスイッチ部１３の取り付け位置を変更可能にしつつ、取り付けの作業を効率よく行える構造を提供することが可能となる。また、取付部１２ａを照明装置１の側面側に形成するため、取付部１２ａが照明１１の灯りを阻害することを抑制できる。
【００１４】
照明装置１が取り付けられる電気電子機器収納用箱４は、フレームが主たる支持部材となるフレーム式や、外壁などが支持部材となるモノコック式のいずれであっても良い。電気電子機器収納用箱４には、開口部４１が備えられているが、この開口部４１を覆うのは扉４２であっても側板４３であっても良い。
【００１５】
照明装置１は、電気電子機器収納用箱４の内部の天井部付近に取り付けられる。この照明装置１はフレームに取り付けることができる。例えば、図４乃至図６に示すように、開口部４１を構成する横フレーム４４に取り付けることができる。また、照明装置１は天井面４５に取り付けることもできる。例えば、図７乃至図９に示すように、電気電子機器収納用箱４の天井面４５に設けたボススタッド４６に固定することができる。
【００１６】
実施形態では、直進移動可能なプランジャ１３ａを備えたスイッチ部１３を備えており、このスイッチ部１３を適切な位置に取り付けている。これにより、扉４２を開放した場合に照明装置１が点灯するようにスイッチ部１３を操作できるよう構成している。スイッチ部１３の内部にはｂ接点が設けられており、スイッチ部１３が押されているときには照明装置１は接点を開放し、照明１１を消灯する。なお、実施形態では、スイッチ部１３が扉４２や側板４３の開放を検出する際にスイッチ部１３が操作される方向が前後方向である。また、実施形態では開口部４１が開いている方向が前後方向である。
【００１７】
図１０に示すように、実施形態の照明装置１は、左右方向に延びる照明１１と、照明１１を固定するために用いられる固定金具１２を備えている。この固定金具１２には、照明１１を固定するために用いられる照明固定孔１２ｃと、固定金具１２を電気電子機器収納用箱４に固定する際に用いられる固定孔１２ｄを備えている。この照明固定孔１２ｃと固定孔１２ｄは固定部１２ｂに設けられており、固定金具１２は、この固定部１２ｂの側端部から垂直下方向に折り曲げた取付部１２ａを備えている。実施形態の固定金具１２は、照明装置１の電気電子機器収納用箱４への固定面となる固定部１２ｂに対して直交する方向に延びるように折り曲げ形成された取付部１２ａと、固定部１２ｂが、側面視で略Ｌ字状を形成するように設けられている。なお、固定部１２ｂは、左右方向に延びる形態となっている。
【００１８】
また、固定金具１２と固定される取付金具１４は、固定部１２ｂと平行に延びる付属装置固定部１４ａと、付属装置固定部１４ａに対して直交する方向に延びるように折り曲げ形成された取付部１２ａと対向する対向部１４ｂと、を備え、側面視略Ｌ字状となるように設けられている。実施形態では、付属装置固定部１４ａにスイッチ部１３を固定している。なお、取付金具１４は、左右方向に延びる固定部１２ｂに対して、左右方向に並ぶように固定される。
【００１９】
また、固定金具１２の取付部１２ａと、取付金具１４の対向部１４ｂの双方に、取付部１２ａと取付金具１４の取り付け位置を前後上下に調整可能とする調整部１６を備えている。実施形態における調整部１６は、スイッチ部１３を前後方向及び上下方向の双方に移動可能なように複数の取付孔１６ａを設けることで形成されている。取付部１２ａと取付金具１４の双方に、取付部１２ａと取付金具１４の取り付け位置を前後上下に調整可能とする調整部１６を備える構成とすることで、調整可能な領域を増やすことが可能となる。
【００２０】
なお、調整部１６である上下の複数列の取付孔１６ａを各々長孔状に設けても良い。長孔にすることにより、取付部１２ａと取付金具１４の取り付け位置の微調整が可能となる。また、取付孔１６ａを個別に形成することで取付位置を指定でき、スイッチ部１３を扉４２や側板４３へ当てる当て方が容易に決定できる。なお、実施形態では、取付部１２ａ、対向部１４ｂの双方に調整部１６を設けているが、何れか一方のみに調整部１６を設けるものとしても良い。
【００２１】
実施形態では、付属装置固定部１４ａに取り付けられたスイッチ部１３の後方に、照明１１に電源を供給するための電線を接続する付属装置として端子台１９を取り付けている。なお、照明装置１の前面側に取付金具１４を形成した場合には、端子台１９を付けると奥行き方向の大きさが大きくなり、照明装置１を筐体４９内側に位置させる必要があるが、本実施形態は、スイッチ部１３が照明装置１の側方側にある。このため、筐体４９に設けられた開口部４１付近に、照明装置１を設置することが可能となる。また、スイッチ部１３とは別に付属装置を取り付けた場合でも、この付属装置を照明１１等と左右方向に並べるように配置できるため、照明装置１の奥行き方向の長さを最少限とすることができる。また、取付金具１４に取り付けた端子台１９などの付属装置をスイッチ部１３の前後方向に位置するように配置した場合であっても、照明装置１の奥行き方向の長さを抑制することができる。
【００２２】
実施形態では、スイッチ部１３や端子台１９は固定金具１２の固定面側（接触面側）とは反対面側に取り付けている。このようにすれば、固定金具１２を電気電子機器収納用箱４に取り付けた後でも、端子台１９に電線を接続したり、点検などで端子台１９にアクセスする際に、電気電子機器収納用箱４のフレーム等が邪魔になることがない。
【００２３】
実施形態では、端子台１９とスイッチ部１３が隣接しているため、スイッチ部１３と端子台１９を接続する電線や、照明装置１と端子台１９を接続する電線も短くすることができ、電線が煩雑になることを防止できる。なお、付属装置固定部１４ａとは異なる位置に端子台１９を取り付けると、スイッチ部１３や照明装置１から出線される電線が長くなり、この電線が電気電子機器収納用箱４内に電気電子機器を収納する際の障害になる場合がある。
【００２４】
ところで、図１０に示す例では、取付金具１４に対して、スイッチ部１３をねじ止めで固定しているが、スイッチ部１３は、ねじ止めで固定しなくても良い。例えば、スイッチ部１３を係止するような構造としても良い。この場合、図１１に示すように、付属装置固定部１４ａの前面端部を折り曲げることで形成した垂直片１４ｃに係止孔１４ｄを設け、この係止孔１４ｄにスイッチ部１３を係止するような構造としても良い。なお、実施形態では、端子台カバー１９ａが端子台１９の下面側に取り付けられる。
【００２５】
なお、図１２及び図１３に示すような、従来から用いられている照明装置では、電気電子機器収納用箱１の内側だけを照らすように設置されるものであるが、本発明の照明装置１では、照明１１の設置個所の前方と後方の双方（電気電子機器収納用箱１の内側と外側の双方）を照らすことが可能となるため、使い勝手が良くなる。
【００２６】
以上、一つの実施形態について説明してきたが、本発明は上記実施形態に限定されることはなく、各種の態様とすることが可能である。例えば、付属装置は端子台ではなく、電源を供給可能な乾電池やバッテリ部、その他、人感センサを形成するものであっても良い。
【００２７】
調整部は複数の取付孔により構成される必要は無い。例えば、凹部や突部などを用いたり、スライドレールを用いたりして構成しても良い。
【符号の説明】
【００２８】
１    照明装置
４    電気電子機器収納用箱
１２    固定金具
１２ａ  取付部
１３    スイッチ部
１４    取付金具
１６    調整部
１９    端子台
４２    扉
４３    側板
【図１】
2019036381.tif 000003
【図２】
2019036381.tif 000004
【図３】
2019036381.tif 000005
【図４】
2019036381.tif 000006
【図５】
2019036381.tif 000007
【図６】
2019036381.tif 000008
【図７】
2019036381.tif 000009
【図８】
2019036381.tif 000010
【図９】
2019036381.tif 000011
【図１０】
2019036381.tif 000012
【図１１】
2019036381.tif 000013
【図１２】
2019036381.tif 000014
【図１３】
2019036381.tif 000015